(57)【要約】【課題】センサ付近に配置する温度を検知する素子を不要にする。【解決手段】本発明の対象物検出装置は、静電容量に基づいて対象物の有無を検出する。本発明の対象物検出装置は、センサ素子部、個別判断部、有無判断部を備える。第１の対象物検出装置では、センサ素子部は、対象物の有無および回路構成の違いに依存する静電容量を有し、個別判断部は、回路構成ごとに、センサ素子部の静電容量を所定の基準と比較した結果である個別結果を出力する。本発明の第２の対象物検出装置では、センサ素子部は、対象物の有無に依存する静電容量を有し、個別判断部は、静電容量を比較する複数の基準を設けておき、基準ごとに、前記センサ素子部の静電容量を当該基準と比較した結果である個別結果を出力する。有無判断部は、最新の個別結果の組および過去の個別結果の組に基づいて、対象物の有無を判断する。【選択図】図１
2020197403.tif 000002
【特許請求の範囲】
【請求項１】
静電容量に基づいて対象物の有無を検出する対象物検出装置であって、
対象物の有無および回路構成の違いに依存する静電容量を有するセンサ素子部と、
回路構成ごとに、前記センサ素子部の静電容量を所定の基準と比較した結果である個別結果を出力する個別判断部と、
最新の個別結果の組および過去の個別結果の組に基づいて、対象物の有無を判断する有無判断部と
を備える対象物検出装置。
【請求項２】
請求項１記載の対象物検出装置であって、
前記センサ素子部は、
静電容量が依存する２種類以上の回路構成を設定でき、
前記有無判断部は、
最新の個別結果の組を直近の個別結果の組と比較し、２つ以上の個別結果が変化している場合は、当該変化にしたがって対象物の有無を判断する
ことを特徴とする対象物検出装置。
【請求項３】
請求項２記載の対象物検出装置であって、
前記センサ素子部は、
スイッチも有し、当該スイッチの切り替えによって回路構成を設定する
ことを特徴とする対象物検出装置。
【請求項４】
静電容量に基づいて対象物の有無を検出する対象物検出装置であって、
対象物の有無に依存する静電容量を有するセンサ素子部と、
静電容量を比較する複数の基準を設けておき、基準ごとに、前記センサ素子部の静電容量を当該基準と比較した結果である個別結果を出力する個別判断部と、
最新の個別結果の組および過去の個別結果の組に基づいて、対象物の有無を判断する有無判断部と
を備える対象物検出装置。
【請求項５】
請求項１または４記載の対象物検出装置であって、
前記有無判断部は、
最新の個別結果の組を含む３つ以上の個別結果の組に基づいて、対象物の有無を判断する
ことを特徴とする対象物検出装置。
【請求項６】
請求項１〜５のいずれかに記載の対象物検出装置であって、
複数のセンサ素子部を具備し、
前記個別判断部は、センサ素子部ごとに個別結果の組を出力し、
前記有無判断部は、直近のセンサ素子部ごとの個別結果の組からセンサ素子部ごとの個別結果の組の遷移の原因を限定し、最新のセンサ素子部ごとの個別結果の組に基づいて、対象物の有無を判断する
ことを特徴とする対象物検出装置。
【請求項７】
請求項６記載の対象物検出装置であって、
前記の複数のセンサ素子部は、前記対象物が収納されている貯蔵容器の上下方向に分散して配置されており、
前記有無判断部は、前記の配置も考慮してセンサ素子部ごとの個別結果の組の遷移の原因を限定する
ことを特徴とする対象物検出装置。
【請求項８】
請求項６または７記載の対象物検出装置であって、
少なくとも３つのセンサ素子部を具備し、
１つのセンサ素子部は対象物が常に無い位置に配置され、他の１つのセンサ素子部は対象物が常に有る位置に配置されている
ことを特徴とする対象物検出装置。
【発明の詳細な説明】
【技術分野】
【０００１】
本発明は、静電容量に基づいて対象物の有無を検出する対象物検出装置に関する。
【背景技術】
【０００２】
静電容量に基づいて対象物の有無を検出する対象物検出装置としては、特許文献１，２に記載された技術などが従来技術として知られている。
【先行技術文献】
【特許文献】
【０００３】
【特許文献１】特開平１１−４００２１号公報
【特許文献２】特開２０１８−１０５７２０号公報
【発明の概要】
【発明が解決しようとする課題】
【０００４】
しかしながら、従来技術は、温度変化によって生じる静電容量の変化による誤判断防止のため、センサ付近の温度を検知し、供給電圧を変化させるなどの対策を行っている。したがって、必ず温度を検知する素子をセンサ付近に配置しなければならないという課題がある。そのため、センサの価格が高くなりやすい。
【０００５】
本発明は、センサ付近に配置する温度を検知する素子を不要にすることを目的とする。
【課題を解決するための手段】
【０００６】
本発明の対象物検出装置は、静電容量に基づいて対象物の有無を検出する。本発明の対象物検出装置は、センサ素子部、個別判断部、有無判断部を備える。第１の対象物検出装置では、センサ素子部は、対象物の有無および回路構成の違いに依存する静電容量を有し、個別判断部は、回路構成ごとに、センサ素子部の静電容量を所定の基準と比較した結果である個別結果を出力する。本発明の第２の対象物検出装置では、センサ素子部は、対象物の有無に依存する静電容量を有し、個別判断部は、静電容量を比較する複数の基準を設けておき、基準ごとに、前記センサ素子部の静電容量を当該基準と比較した結果である個別結果を出力する。有無判断部は、最新の個別結果の組および過去の個別結果の組に基づいて、対象物の有無を判断する。
【発明の効果】
【０００７】
本発明の対象物検出装置によれば、条件の異なる複数の判断結果である個別結果の組を取得し、個別結果の組の遷移に基づいて対象物の有無を判断する。対象物の有無の変化による個別結果の組の遷移と、温度変化による個別結果の組の遷移の特徴の違いに基づいて対象物の有無の変化か温度変化を判断するので、センサ付近に温度を検知する素子を配置する必要が無い。
【図面の簡単な説明】
【０００８】
【図１】本発明の対象物検出装置の機能構成例を示す図。
【図２】対象物検出装置が複数のセンサ素子部を具備しているときの用途の例を示す図。
【図３】従来のセンサ素子部の構成例を示す図。
【図４】対象物の有無と静電容量と温度の関係を示す図。
【図５】実施例１のセンサ素子部の構成例を示す図。
【図６】実施例１の場合の対象物の有無と静電容量と温度の関係を示す図。
【図７】個別結果が１つの場合の対象物の有無と温度と個別結果の関係を示す図。
【図８】個別結果が２つの場合の対象物の有無と温度と個別結果の組の関係を示す図。
【図９】個別結果が３つの場合の対象物の有無と温度と個別結果の組の関係を示す図。
【図１０】個別結果の組に基づいて判断し得る状態を示す図。
【図１１】センサ素子部の静電容量に対して複数の基準を設けた例を示す図。
【発明を実施するための形態】
【０００９】
以下、本発明の実施の形態について、詳細に説明する。なお、同じ機能を有する構成部には同じ番号を付し、重複説明を省略する。
【実施例１】
【００１０】
図１に実施例１の対象物検出装置の機能構成例を示す。対象物検出装置１００は、静電容量に基づいて対象物の有無を検出する。対象物検出装置１００は、センサ素子部１１０、個別判断部１２０、有無判断部１３０、記憶部１９０を備える。図２は、対象物検出装置が複数のセンサ素子部を具備しているときの用途の例を示す図である。貯蔵容器９００には対象物９１０が収納され、使用されることで対象物９１０は減っていく。センサ素子部１１０−１，…，６は、貯蔵容器９００の上下方向に分散して配置されている。このようにセンサ素子部１１０−１，…，６を配置することで、対象物９１０が貯蔵容器９００のどの高さまで存在しているかを確認できる。貯蔵容器９００は例えばタンクであり、対象物９１０は例えば重油やペレットである。例えば、重油やペレットがタンクに収納され、ビニールハウスの暖房のために使用されると減っていく。貯蔵容器９００が屋外にある場合は、センサ素子部１１０−１，…，６付近の温度を制御することは難しく、かつ、温度の範囲も広い。
【００１１】
実施例１のセンサ素子部１１０の説明の前に、従来の静電容量の変化を利用したセンサについて説明する。図３に従来のセンサ素子部の構成例を示す。センサ素子部２１０は、対象物の有無に依存する静電容量を有する。そして、センサ素子部２１０は、対象物の有無を判断するために、検出電極１１１と接地との間の静電容量に依存した情報、データ、または信号を出力する。例えば、センサ素子部２１０は、検出電極１１１、発振回路１１６、検波回路１１７を具備する。この場合は、発振回路１１６は、検出電極１１１と接地との間の静電容量が発振条件を満たすときに発振するように構成されている。検波回路１１７は、発振回路１１６からの出力を検波し、その結果である信号を出力する。従来は、この信号とあらかじめ定めたしきい値とを比較することで、対象物の有無を判断している。ここで、静電容量がしきい値Ａのときに、検波回路１１７から出力される信号が上記のあらかじめ定めたしきい値になるとする。図４は、対象物の有無と静電容量と温度の関係を示す図である。横軸は温度、縦軸は静電容量であり、検出電極１１１と接地との間の静電容量が、しきい値Ａより大きいときに対象物があると判断し、しきい値Ａより小さいときに対象物がないと判断する。実線は対象物があるときの静電容量と温度の関係を示す線、点線は対象物がないときの静電容量と温度の関係を示す線である。温度ＴＬＡ〜ＴＨＡの間であれば、対象物があるときには静電容量がしきい値Ａより大きくなり、対象物がないときには静電容量がしきい値Ａより小さくなるので、対象物の有無を判断できる。しかし、温度ＴＬＡより低い温度、温度ＴＨＡより高い温度では、対象物の有無を正確に判断できない。特に、ペレットのように誘電率が低く屋外に置かれる対象物の場合、温度ＴＬＡと温度ＴＨＡの間隔は狭くなる一方、周辺環境の温度の範囲は広いので、対象物の有無の判断が難しくなりやすい。
【００１２】
図５は実施例１のセンサ素子部の構成例を示す図である。図６は、実施例１の場合の対象物の有無と静電容量と温度の関係を示す図である。センサ素子部１１０は、対象物の有無および回路構成の違いに依存する静電容量を有する。例えば、センサ素子部１１０は、検出電極１１１、金属板１１２，１１３、スイッチ１１４，１１５を具備する。センサ素子部１１０も、発振回路１１６と検波回路１１７を具備すればよいが、静電容量に依存した情報、データまたは信号を出力できれば、他の回路でもよい。出力される情報、データまたは信号とは、静電容量に基づいて決まり、個別判断部１２０への入力になり得ればよく、数値化された情報やデータでもアナログの信号でも構わない。
【００１３】
金属板１１２はスイッチ１１４を介して接地されており、金属板１１３はスイッチ１１５を介して接地されている。スイッチ１１４，１１５のオン・オフは、後述する個別判断部１２０によって制御される。ここで、回路構成Ａを金属板１１２，１１３ともに非接地（スイッチ１１４，１１５ともにオフ）、回路構成Ｂを金属板１１２は非接地、金属板１１３は接地（スイッチ１１４はオフ、スイッチ１１５はオン）、回路構成Ｃを金属板１１２，１１３ともに接地（スイッチ１１４，１１５ともにオン）とする。金属板１１２，１１３が接地されると、検出電極１１１と接地との間の静電容量は大きくなる。したがって、対象物があるときも、対象物がないときも、静電容量が大きくなる。よって、図６に示すような静電容量と温度の関係になる。なお、上述の例ではスイッチの切り替えによって複数の回路構成を実現したが、回路構成が異なる複数の回路を具備し、回路を選択することで複数の回路構成を実現してもよい。
【００１４】
回路構成Ａの場合は、センサ素子部２１０と同じであり、温度ＴＬＡ〜ＴＨＡの間であれば対象物の有無を判断できる。回路構成Ｂの場合は、温度ＴＬＢ〜ＴＨＢの間であれば、対象物があるときには静電容量がしきい値Ａより大きくなり、対象物がないときには静電容量がしきい値Ａより小さくなるので、対象物の有無を判断できる。回路構成Ｃの場合は、温度ＴＬＣ〜ＴＨＣの間であれば、対象物があるときには静電容量がしきい値Ａより大きくなり、対象物がないときには静電容量がしきい値Ａより小さくなるので、対象物の有無を判断できる。
【００１５】
個別判断部１２０は、回路構成ごとに、センサ素子部１１０の静電容量を所定の基準と比較した結果である個別結果を出力する。センサ素子部１１０から出力される情報、データまたは信号を用いて、センサ素子部１１０の静電容量が所定の基準を満たすか否かを判断すればよい。所定の基準とは、例えば、しきい値Ａ以上を満たすかという基準である。個別判断部１２０は複数の個別結果（回路構成ごとの個別結果）を出力するので、それらをまとめて「個別結果の組」と呼ぶことにする。また、個別判断部１２０は、センサ素子部１１０の回路構成を制御または選択する機能も有する。
【００１６】
図７は個別結果が１つの場合の対象物の有無と温度と個別結果の関係を示す図、図８は個別結果が２つの場合の対象物の有無と温度と個別結果の組の関係を示す図、図９は個別結果が３つの場合の対象物の有無と温度と個別結果の組の関係を示す図である。図７は従来のセンサ素子部２１０を用いた場合と同じである。図８は回路構成Ａ，Ｂの２種類を使った場合である。図９は回路構成Ａ，Ｂ，Ｃの３種類を使った場合である。いずれの図も上段は対象物があるとき、下段は対象物がないときの個別結果または個別結果の組を示している。横方向は温度の違いを示しており、列の境界線は温度の境界を意味している。図７〜９の下段の右端は、（１），（１１），（１１１）となっている。これは実際には対象物がないにもかかわらず、対象物がある場合と同じ個別結果または個別結果の組であり、この状態、すなわち、温度ＴＨＡ以上では対象物の有無を判定することはできない。同様に、図７〜９の上段の左端は、（０），（００），（０００）となっている。これは実際には対象物があるにもかかわらず、対象物がない場合と同じ個別結果または個別結果の組であり、この状態、すなわち、個別結果が１つの場合には温度ＴＬＡ以下、個別結果が２つの場合には温度ＴＬB以下、個別結果が３つの場合には温度ＴＬC以下では対象物の有無を判定することはできない。
【００１７】
有無判断部１３０は、最新の個別結果の組および過去の個別結果の組に基づいて、対象物の有無を判断する。最新の個別結果の組および過去の個別結果の組に基づく判断には、いろいろな判断方法があり得る。以下に、いくつかの判断方法の例を示す。なお、有無判断部１３０の処理は、コンピュータにプログラムを読み込ませることによって実行させればよい。
【００１８】
＜２つ以上の個別結果の変化を利用する方法＞
個別判断部１２０が個別結果を出力する時間間隔は温度変化に比べれば十分短いとする。この場合、対象物の有無に変化がなければ、図７〜９では同じ段の横方向の隣に移動するだけなので、個別結果または個別結果の組は、変化しないか、１つの個別結果が変化するかである。一方、図８の温度ＴＬＡ〜ＴＨＢ、図９の温度ＴＬＢ〜ＴＨＢの温度範囲で対象物の有無が変化すると、２つ以上の個別結果が変化する。したがって、個別判断部１２０が個別結果を出力する時間間隔は温度変化に比べれば十分短い状況で、２つ以上の個別結果が変化した場合、対象物の有無に変化があったと判断できる。一方、図７では、温度の変化のときも対象物の有無の変化のときも、必ず１つの個別結果が変化するだけなので、温度の変化か対象物の有無の変化かを識別できない。なお、図２のセンサ素子部１１０−３のように対象物の有無が変化している過渡状態のときには、センサ素子部１１０−３の静電容量が、図６の対象物ありを示す実線と対象物なしを示す点線の間になるため、図８の温度ＴＬＡ〜ＴＨＢ、図９の温度ＴＬＢ〜ＴＨＢの温度範囲であっても、１つの個別結果しか変化しないかもしれない。しかし、センサ素子部１１０の近傍に温度を検知する素子を配置しなくても、２つ以上の個別結果が変化したのであれば、少なくとも対象物の有無に変化があったことは分かる。
【００１９】
＜時刻情報を利用する方法＞
有無判断部１３０は時刻情報（年、月、日、時、分の情報）も取得できるとする。この場合、センサ素子部１１０付近の正確な温度は分からないとしても、時刻情報からあり得る温度の範囲は限定できる。例えば、ＴＬＡ＝０度、ＴＨＡ＝５０度、ＴＬＢ＝−１０度、ＴＨＢ＝４０度、ＴＬＣ＝−２０度、ＴＨＣ＝３０度とする。夏季のように０度以下になることはない季節であれば、ＴＬＡ以下になることはない。図８においては、個別結果の組に（１１）→（０１）の遷移があったときは対象物の有無に変化があったことが分かる。また、図９においては、個別結果の組に（１１１）→（０１１）の遷移があったときは対象物の有無に変化があったことが分かる。したがって、センサ素子部１１０の近傍に温度を検知する素子を配置しなくても、対象物の有無に変化があったことは分かる。つまり、図８，９の下段の左から２番目の個別結果の組になったときに、誤検出するリスクを無くすことができる。
【００２０】
また、図９において、冬季には夜間に氷点下になることがあるが日中は冬季でも０度以上である地域で、個別結果の組が（０１１）→（００１）に遷移した後に、さらに（００１）→（０００）に遷移したとする。この場合、（０００）に遷移してから所定時間経過後にも（０００）の状態が続いていたときは、対象物がない状態に変化したと判断してもよい。所定時間とは例えば６時間、８時間などであり、氷点下になり得る時刻から０度以上になるまでの時間を、センサ素子部１１０を配置している環境を考慮して定めればよい。また、時刻情報が分かるので、インターネットなどを介して外部から個別結果の組を取得した時刻の気象に関する情報を取得すれば、センサ素子部１１０付近のあり得る温度の範囲は限定できる。このようは判断方法でも、センサ素子部１１０の近傍に温度を検知する素子を配置しなくても、対象物の有無に変化があったことは分かる。
【００２１】
＜類似の環境の温度を利用する方法＞
上記の時刻情報ではなく、類似の環境での温度を利用してもよい。例えば、センサ素子部１１０が室内にあるのであれば、同様の環境の室内に温度センサを配置すればよい。また、センサ素子部１１０が屋外にあるのであれば、同様の環境の屋外に温度センサを配置すればよい。このように類似の環境に配置された温度センサから温度の情報を取得し、個別結果の組の遷移の原因を限定することで対象物の有無に変化があったかを判断してもよい。例えば、センサ素子部１１０と同様の環境に設置している温度計が３０度を示しているのであれば、センサ素子部１１０付近の温度は０度以上であると推定できる。このときに個別結果の組が（１１１）→（０１１）に遷移した場合、この遷移の原因は対象物の有無の変化であり、現在は有無が変化している状態であることが分かる。よって、このようは判断方法でも、センサ素子部１１０の近傍に温度を検知する素子を配置しなくても、対象物の有無に変化があったことは分かる。
【００２２】
＜複数のセンサ素子部の個別結果の組を利用する方法＞
図２に示した貯蔵容器９００に対象物９１０を収納した場合には、上側に配置されているセンサ素子部１１０−１，２の近傍には対象物９１０はなく、下側に配置されているセンサ素子部１１０−４，…，６の近傍には対象物９１０がある。そして、センサ素子部１１０−３の近傍では、対象物９１０がある状態からない状態に変化している。このように、複数のセンサ素子部１１０−１，…，６が、対象物９１０が収納されている貯蔵容器９００の上下方向に分散して配置されている場合は、センサ素子部１１０−１，…，６の配置を考慮して遷移可能な個別結果の組を限定すればよい。例えば、図９の例の場合であって、センサ素子部１１０−１の個別結果の組が（０１１）、センサ素子部１１０−２の個別結果の組が（００１）、センサ素子部１１０−４の個別結果の組が（１１１）の場合、温度はおよそ温度ＴＨＢであって、センサ素子部１１０−１，２の近傍には対象物はなく、センサ素子部１１０−４の近傍には対象物はあると判断できる。そして、センサ素子部１１０−１，２，４がこの状態を維持しているときに、センサ素子部１１０−３の個別結果の組が（１１１）→（０１１）に遷移した場合、温度が温度ＴＬＡ以上から温度ＴＬＡ以下に変化したのではなく、センサ素子部１１０−３の近傍で対象物の有無が変化していると判断できる。
【００２３】
上記の例はセンサ素子部１１０−１，…，６を上下方向に分散して配置した例であるが、上下方向に限定する必要はない。平面状に対象物が分散し、一定方向から有無の状態が変化することが分かっている場合であれば、センサ素子部ごとの個別結果の組の遷移の原因（有無の変化によるものか、温度変化によるものか）を限定し、最新のセンサ素子部ごとの個別結果の組に基づいて、対象物の有無を判断すればよい。
【００２４】
＜状態が既知のセンサ素子部の個別結果の組を利用する方法＞
例えば、図２の例で、センサ素子部１１０−１は常に対象物９１０はない位置に配置し、センサ素子部１１０−６は常に対象物９１０がある位置に配置する。このように配置すると、センサ素子部１１０−１，６の個別結果の組から、センサ素子部１１０−２，…，５が配置されている環境の温度が推定できる。例えば、図９の例の場合であって、センサ素子部１１０−１の個別結果の組が（０００）、センサ素子部１１０−６の個別結果の組が（０１１）であれば、温度は、温度ＴＬＢ〜ＴＬＡあたりと推定できる。つまり、状態が既知のセンサ素子部１１０があれば温度を推定できるので、状態を検知するためのセンサ素子部１１０付近の温度の範囲を限定できる。状態が既知のセンサ素子部１１０を２つ用意する場合、少なくとも３つのセンサ素子部１１０が必要になるが、このようは判断方法でも、センサ素子部１１０の近傍に温度を検知する素子を配置しなくても、対象物の有無に変化があったことは分かる。
【００２５】
＜３回分以上の個別結果の組を利用する方法＞
図１０に個別結果の組に基づいて判断し得る状態を示す。この図では、個別結果の組が（００），（０００）をＬ、（０１），（００１），（０１１）をＭ、（１１），（１１１）をＨとする。そして、急激な温度変化はないと考えられる間隔（例えば１時間間隔）での３回分の個別結果の組が“ＨＨＨ”であれば対象物が“あり”の状態、“ＬＬＬ”であれば対象物が“なし”の状態と判断する。３回分の個別結果の組で判断する理由は、対象物の有無の境界線がセンサ上となる場合に個別結果は“０”、“１”ランダム値となることを考慮して、個別結果の組の安定性を確認することでランダム変動による状態遷移を防ぐためであり、さらに多数回分の個別結果の組で判断してもよい。“Ｈ”と“Ｍ”が混在する場合は、対象物が“あり”の状態と判断すればよい。例えば、“ＨＨＭ”のときは、周囲が低温であるか、対象物の有無の状態が変化し始めていることが分かる。“ＭＭＨ”のときは、周囲が低温であるか、対象物の有無の状態の変化が終わろうとしていることが分かる。“Ｍ”と“Ｌ”が混在する場合は、対象物が“なし”の状態と判断すればよい。このときは、周囲が高温であるか、対象物の有無の状態の変化の開始や終了を意味している可能性もあるが、対象物が“なし”の状態と判断すればよい。また、“ＭＭＭ”の場合、“Ｈ”と“Ｌ”が混在する場合、“Ｈ”と“Ｍ”と“Ｌ”が混在する場合は、変化している状態もしくは測定不可能な状態と判断する。例えば、“ＨＬＬ”は変化している状態と判断し、次の個別結果の組が“Ｌ”であれば、“ＬＬＬ”となるので、このタイミングで対象物が“なし”の状態と判断する。同様に、“ＨＭＬ”は対象物が“あり”から“なし”に変化している状態と考えられる。次の個別結果の組が“Ｌ”であれば、“ＭＬＬ”となるので、このタイミングで対象物が“なし”の状態と判断する。ここまでは３つの個別結果の組を使用する例を説明したが、４つ以上の場合でも、Ｌ，Ｍ，Ｈを定義すれば同様の判断ができる。このように、３つ以上の個別結果の組を考慮すれば、状態の変化も考慮しながら対象物の有無を判断しやすい。
【００２６】
実施例１の対象物検出装置によれば、条件（回路構成）の異なる複数の判断結果である個別結果の組を取得し、個別結果の組の遷移に基づいて対象物の有無を判断する。対象物の有無の変化による個別結果の組の遷移と、温度変化による個別結果の組の遷移の特徴の違いに基づいて対象物の有無の変化か温度変化を判断するので、センサ付近に温度を検知する素子を配置する必要が無い。
【実施例２】
【００２７】
実施例２の対象物検出装置の機能構成例も図１に示す。対象物検出装置２００は、センサ素子部２１０、個別判断部２２０、有無判断部１３０、記憶部１９０を備える。センサ素子部２１０は、図３に示した従来のセンサ素子部と同じ構成であり、検出電極１１１と接地との間の静電容量は対象物の有無に依存する。ただし、センサ素子部２１０は、発振回路１１６と検波回路１１７を具備してもよいが、静電容量に依存した情報、データまたは信号を出力できれば、他の回路でもよい。対象物検出装置２００が複数のセンサ素子部を具備しているときは、図２に示すようにセンサ素子部２１０を配置すればよい。
【００２８】
個別判断部２２０は、静電容量を比較する複数の基準を設けておき、基準ごとに、センサ素子部２１０の静電容量を当該基準と比較した結果である個別結果を出力する。図１１はセンサ素子部の静電容量に対して複数の基準を設けた例である。この例では、３つのしきい値（しきい値Ａ，…，Ｃ）を設けている。このようにしきい値を複数設定することで、しきい値ごとの個別結果を得ることができ、図８，９に示した個別結果の組を取得できる。
【００２９】
有無判断部１３０は、実施例１と同じであり、最新の個別結果の組および過去の個別結果の組に基づいて、対象物の有無を判断する。個別判断部２２０で得られる個別結果は実施例１と同等なので、有無判断部１３０は実施例１で説明した内容と同じである。例えば、有無判断部１３０は、最新の個別結果の組を直近の個別結果の組と比較し、２つ以上の個別結果が変化している場合は、当該変化にしたがって対象物の有無を判断すればよい。また、基準（しきい値）は３つ以上設定した方が、２つだけ設定するよりも広い温度範囲でこの判断を利用できる。時刻情報を利用する方法、複数のセンサ素子部の個別結果の組を利用する方法などについても同じである。
【００３０】
したがって、実施例２の対象物検出装置によっても、条件（基準）の異なる複数の判断結果である個別結果の組を取得し、個別結果の組の遷移に基づいて対象物の有無を判断する。対象物の有無の変化による個別結果の組の遷移と、温度変化による個別結果の組の遷移の特徴の違いに基づいて対象物の有無の変化か温度変化を判断するので、センサ付近に温度を検知する素子を配置する必要が無い。
【符号の説明】
【００３１】
１００，２００  対象物検出装置        １１０，２１０  センサ素子部
１１１  検出電極                      １１２，１１３  金属板
１１４，１１５  スイッチ              １１６  発振回路
１１７  検波回路                      １２０，２２０  個別判断部
１３０  有無判断部                    １９０  記憶部
９００  貯蔵容器                      ９１０  対象物
【図１】
2020197403.tif 000003
【図２】
2020197403.tif 000004
【図３】
2020197403.tif 000005
【図４】
2020197403.tif 000006
【図５】
2020197403.tif 000007
【図６】
2020197403.tif 000008
【図７】
2020197403.tif 000009
【図８】
2020197403.tif 000010
【図９】
2020197403.tif 000011
【図１０】
2020197403.tif 000012
【図１１】
2020197403.tif 000013